(57)【要約】【課題】  プレゼンテーションの進行を妨げることなく、プレゼンタに表示画面を遮っていることを通知して表示画面を参加者が見難くなるのを防止し得る表示装置を提供すること。【解決手段】  タッチペンによる透明タッチパネルの操作面への座標入力が無い状態が所定時間Ｔ０以上継続し、そのときに大型ＬＣＤの表示領域前方におけるプレゼンタの存在が感圧マットにより検出された場合には、当該プレゼンタに対して警告振動を出力する（Ｓ１０２〜Ｓ１０８）。【選択図】        図５
2009064267.tif 000002
【特許請求の範囲】
【請求項１】
プレゼンテーションを行なう際に利用される大型の表示装置であって、
前面に画像情報の画面表示を行なうための表示領域が形成されている表示手段と、
前記表示手段の表示領域で画面表示された画像情報を透視可能な操作面が当該表示領域上に重ねて設けられ、当該操作面への接触により座標入力を行なうための座標入力手段と、
前記表示手段の表示領域の前方に位置するプレゼンタの存在を検出するための検出手段と、
前記プレゼンタに無音状態で警告を与えるための警告手段と、
前記座標入力手段の操作面への入力が無い状態が所定時間以上継続し且つ前記検出手段により前記プレゼンタの存在を検出した場合に、前記警告手段を動作させて当該プレゼンタに対して警告を発せさせるための制御手段と、を含むことを特徴とする表示装置。
【請求項２】
前記座標入力手段の操作面に対して操作を行なうための操作手段をさらに含み、
前記警告手段は、前記操作手段に備えられていることを特徴とする請求項１に記載の表示装置。
【請求項３】
前記操作手段に備えられた警告手段は、前記プレゼンタに対して振動により警告を与えるように構成されている警告振動出力手段であることを特徴とする請求項２に記載の表示装置。
【請求項４】
前記操作手段に備えられた警告手段は、前記プレゼンタに対して所定の態様で警告表示を行なうように構成されている警告表示手段であることを特徴とする請求項２に記載の表示装置。
【請求項５】
前記警告手段の動作／非動作の切替入力を行なうための第１の入力手段をさらに含み、
前記第１の入力手段は、前記操作手段に備えられ、
前記制御手段は、前記第１の入力手段の入力操作に応じて前記警告手段の動作／非動作を切替える処理を実行することを特徴とする請求項２〜請求項４の何れか１項に記載の表示装置。
【請求項６】
前記座標入力手段の操作面への無入力状態に関する所定時間の変更入力を行なうための第２の入力手段をさらに含み、
前記第２の入力手段は、前記操作手段に備えられ、
前記制御手段は、前記第２の入力手段の入力操作に応じて前記所定時間の設定を変更する処理を実行することを特徴とする請求項２〜請求項５の何れか１項に記載の表示装置。
【請求項７】
前記検出手段は、前記表示手段の前面側を含む装置本体が設置される床面上に敷設されている感圧マットであることを特徴とする請求項１〜請求項６の何れか１項に記載の表示装置。
【請求項８】
前記検出手段は、前記表示手段の前面側であって且つ前記座標入力手段の操作面の外縁側において、その検知面が前記プレゼンタに向けられている焦電センサであることを特徴とする請求項１〜請求項６の何れか１項に記載の表示装置。
【請求項９】
プレゼンテーションを行なう際に利用される大型の表示装置であって、
前面に画像情報の画面表示を行なうための表示領域が形成されている表示手段と、
前記表示手段の表示領域で画面表示された画像情報を透視可能な操作面が当該表示領域上に重ねて設けられ、当該操作面への接触により座標入力を行なうための座標入力手段と、
前記表示手段の表示領域の前方に位置するプレゼンタの存在を検出するための検出手段と、
前記プレゼンタに無音状態で警告を与えるための警告手段と、
前記座標入力手段の操作面への入力が無い状態が所定時間以上継続し且つ前記検出手段により前記プレゼンタの存在を検出した場合に、前記警告手段を動作させて当該プレゼンタに対して警告を発せさせるための制御手段と、を含み、
前記検出手段は、前記表示手段の前面側を含む装置本体が設置される床面上に敷設されている感圧マットであり、
前記警告手段は、前記感圧マットに備えられ、
前記感圧マットに備えられた警告手段は、前記プレゼンタに対して振動により警告を与えるように構成されている警告振動出力手段であることを特徴とする表示装置。
【発明の詳細な説明】
【技術分野】
【０００１】
本発明は、表示装置に関し、特にプレゼンテーションを行なう際に利用される大型の表示装置に関する。
【背景技術】
【０００２】
例えば、特許文献１には、表示装置において、ＣＲＴ（Ｃａｔｈｏｄｅ  Ｒａｙ  Ｔｕｂｅ）ディスプレイ等の表示画面に向かい合う人を検知し、検知してから一定時間が経過した後に、ブザーの鳴動により警告を行なう技術が開示されている。
【０００３】
【特許文献１】特開平４−１１２８４号公報
【発明の開示】
【発明が解決しようとする課題】
【０００４】
近時、更なるＯＡ（Ｏｆｆｉｃｅ  Ａｕｔｏｍａｔｉｏｎ）化が進み、それによってプレゼンテーションを行なう際にも大型の表示装置が頻繁に利用されるようにもなってきている。
【０００５】
このような大型表示装置を使ってプレゼンテーションを行なう場合において、プレゼンタが表示画面を遮って参加者（視聴者）がその画面表示を見難くしてしまうことが多々ある。
【０００６】
上記プレゼンテーション用の表示装置に対して、上記特許文献１記載の技術を単に適用したとしても、プレゼンタが所定時間以上表示画面の前に存在することを検出したときにブザーによる警告が発せられるだけで、上記の問題に対処できないばかりか、ブザーによる警告音により却ってプレゼンテーションの進行を妨げることになってしまうのが実情である。
【０００７】
本発明は、上記技術的背景に鑑みなされたもので、プレゼンテーションの進行を妨げることなく、プレゼンタに表示画面を遮っていることを通知して表示画面を参加者が見難くなるのを防止し得る表示装置の提供を目的とする。
【課題を解決するための手段】
【０００８】
本発明の第１の観点に係る表示装置は、プレゼンテーションを行なう際に利用される大型の表示装置であって、前面に画像情報の画面表示を行なうための表示領域が形成されている表示手段と、表示手段の表示領域で画面表示された画像情報を透視可能な操作面が当該表示領域上に重ねて設けられ、当該操作面への接触により座標入力を行なうための座標入力手段と、表示手段の表示領域の前方に位置するプレゼンタの存在を検出するための検出手段と、プレゼンタに無音状態で警告を与えるための警告手段と、座標入力手段の操作面への入力が無い状態が所定時間以上継続し且つ検出手段によりプレゼンタの存在を検出した場合に、警告手段を動作させて当該プレゼンタに対して警告を発せさせるための制御手段と、を含む。
【０００９】
上記構成において、表示手段の表示領域上の操作面への座標入力が無い状態が所定時間以上継続し、そのときに表示手段の表示領域前方におけるプレゼンタの存在が検出された場合には、当該プレゼンタに対して警告が無音状態で発せられる。
【００１０】
また、上記第１の観点に係る表示装置は、座標入力手段の操作面に対して操作を行なうための操作手段をさらに含み、警告手段は、操作手段に備えられている。
【００１１】
上記構成において、プレゼンタは、操作手段を握りながらプレゼンテーションを行ない、その際に上記の警告をプレゼンタ自身の掌で受けることになる。その結果、プレゼンタに自身がプレゼンテーション表示画面を遮っていることを即座に認識させることができる。
【００１２】
ある態様では、操作手段に備えられた警告手段は、プレゼンタに対して振動により警告を与えるように構成されている警告振動出力手段である。
【００１３】
他の態様では、操作手段に備えられた警告手段は、プレゼンタに対して所定の態様で警告表示を行なうように構成されている警告表示手段である。
【００１４】
ここに、警告表示の態様としては、小型ＬＣＤ（Ｌｉｑｕｉｄ  Ｃｒｙｓｔａｌ  Ｄｉｓｐｌａｙ）の発光又は点滅、及びＬＥＤ（Ｌｉｇｈｔ  Ｅｍｉｔｔｉｎｇ  Ｄｉｏｄｅ）の発光又は点滅等を例示することができる。
【００１５】
さらに、上記第１の観点に係る表示装置は、警告手段の動作／非動作の切替入力を行なうための第１の入力手段をさらに含み、第１の入力手段は、操作手段に備えられ、制御手段は、第１の入力手段の入力操作に応じて警告手段の動作／非動作を切替える処理を実行する。
【００１６】
上記構成によると、上記の警告の動作及び非動作をプレゼンタの手元側で自由に切替えることができる。
【００１７】
さらにまた、上記第１の観点に係る表示装置は、座標入力手段の操作面への無入力状態に関する所定時間の変更入力を行なうための第２の入力手段をさらに含み、第２の入力手段は、操作手段に備えられ、制御手段は、第２の入力手段の入力操作に応じて上記所定時間の設定を変更する処理を実行する。
【００１８】
上記構成によると、上記の無音警告が発せられるまでの時間をプレゼンタの手元側で自由に変更することができる。
【００１９】
ある態様では、検出手段は、表示手段の前面側を含む装置本体が設置される床面上に敷設されている感圧マットである。
【００２０】
他の態様では、検出手段は、表示手段の前面側であって且つ座標入力手段の操作面の外縁側において、その検知面がプレゼンタに向けられている焦電センサである。
【００２１】
本発明の第２の観点に係る表示装置は、プレゼンテーションを行なう際に利用される大型の表示装置であって、前面に画像情報の画面表示を行なうための表示領域が形成されている表示手段と、表示手段の表示領域で画面表示された画像情報を透視可能な操作面が当該表示領域上に重ねて設けられ、当該操作面への接触により座標入力を行なうための座標入力手段と、表示手段の表示領域の前方に位置するプレゼンタの存在を検出するための検出手段と、プレゼンタに無音状態で警告を与えるための警告手段と、座標入力手段の操作面への入力が無い状態が所定時間以上継続し且つ検出手段によりプレゼンタの存在を検出した場合に、警告手段を動作させて当該プレゼンタに対して警告を発せさせるための制御手段と、を含み、検出手段は、表示手段の前面側を含む装置本体が設置される床面上に敷設されている感圧マットであり、警告手段は、感圧マットに備えられ、感圧マットに備えられた警告手段は、プレゼンタに対して振動により警告を与えるように構成されている警告振動出力手段である。
【００２２】
上記構成において、表示手段の表示領域上の操作面への座標入力が無い状態が所定時間以上継続し、そのときに表示手段の表示領域前方におけるプレゼンタの存在が検出された場合には、当該プレゼンタに対して自身の足元から出力される振動により警告が与えられる。
【００２３】
また、上記第２の観点に係る表示装置において、座標入力手段の操作面に対して操作を行なうための操作手段をさらに含ませることが好ましい。
【００２４】
この場合、上記第２の観点に係る表示装置は、警告振動出力手段の動作／非動作の切替入力を行なうための第１の入力手段をさらに含み、第１の入力手段は、操作手段に備えられ、制御手段は、第１の入力手段の入力操作に応じて警告振動出力手段の動作／非動作を切替える処理を実行するようにすれば、上記のプレゼンタの足元から警告振動を出力させるか否かをプレゼンタの手元側で自由に切替えることが可能となる。
【００２５】
加えて、上記第２の観点に係る表示装置は、座標入力手段の操作面への無入力状態に関する所定時間の変更入力を行なうための第２の入力手段をさらに含み、第２の入力手段は、操作手段に備えられ、制御手段は、第２の入力手段の入力操作に応じて所定時間の設定を変更する処理を実行するようにすれば、上記のプレゼンタの足元から振動が出力されるまでの時間をプレゼンタの手元側で自由に変更することが可能となる。
【発明の効果】
【００２６】
本発明によると、プレゼンテーションの進行を妨げることなく、プレゼンタに表示画面を遮っていることを通知して表示画面を参加者が見難くなるのを防止することが可能となる。
【発明を実施するための最良の形態】
【００２７】
以下、本発明の実施の形態について、添付図面に基づき詳細に説明する。なお、以下の説明及び本明細書に添付の図面では、同一機能部品については同一符号を付している。それらの名称及び機能も同一である。したがって、それらについての詳細な説明は繰返さないことにする。
【００２８】
[第１の実施の形態]
＜外観構成＞
図１は本発明の第１の実施の形態に係る表示装置５０の外観構成を示す斜視図である。また、図２は表示装置５０の外観構成を示す正面図であって、プレゼンテーションを行なっている状態を示す。
【００２９】
図１及び図２を参照して、本実施の形態に係る表示装置５０は、プレゼンテーションを行なう際に利用される大型の表示装置であって、装置本体５２、プレゼンタＰによって使用されるタッチペン５４、及びプレゼンタＰのプレゼンテーション用の演台としても機能する感圧マット５６を含む。
【００３０】
装置本体５２は、台座５８、大型ＬＣＤ６０、透明タッチパネル６２、スキャナ６４及びプリンタ６６から構成されている。
【００３１】
台座５８は、感圧マット５６の上面と接触する基台６８と、この基台６８及び大型ＬＣＤ６０の両者を連結する左右一対の脚７０とを備えている。基台６８の底部には、装置本体５２を移動させるための４つのキャスタ輪６８Ａが回転自在に取り付けられている。各脚７０は、幅広の薄板部材であって、所定の間隔を隔てた状態で基台６８の上面に直立している。これら脚７０の各先端面に大型ＬＣＤ６０が取り付けられている。
【００３２】
大型ＬＣＤ６０は、横長の長方形形状をなしており、その前面に画像情報の画面表示を行なうための表示領域が形成されている。この大型ＬＣＤ６０の表示領域は、当該ＬＣＤ６０の外郭形状と相似形状を有しており、その形成領域は、当該ＬＣＤ６０の前面の大部分を占めている。また、大型ＬＣＤ６０の表示領域の隅部（本実施の形態においては右下の隅部）には、無線通信デバイス７２が装着されている。この無線通信デバイス７２としては、Ｂｌｕｅｔｏｏｔｈ（登録商標）モジュールが採用されている。
【００３３】
透明タッチパネル６２は、大型ＬＣＤ６０と同様に横長の長方形形状を有しており、当該ＬＣＤ６０の表示領域（即ち、ＬＣＤ６０の前面）に一体的に重ねて設けられている。したがって、本表示装置５０では、大型ＬＣＤ６０の表示領域上の文字及び図形等のオブジェクトがタッチパネル６２の構成要素の１つである透明ガラス等を素材として作製された透過部材を透過して表示され、この大型ＬＣＤ６０上に表示されたオブジェクトをプレゼンテーション参加者が視認することになる。このように、本表示装置５０は、タッチパネル一体型表示装置であるので、透明タッチパネル６２が大型ＬＣＤ６０の表示領域上で画面表示された画像情報を透視可能な操作面として機能し、当該操作面としての透明タッチパネル６２に対するタッチペン５４の接触によりその接触位置に対応した座標が入力されることになる。
【００３４】
スキャナ６４は、プレゼンテーション原稿等を読取るための装置であって、その前面には、上下一対の開口６４Ａ，６４Ｂが形成されている。このスキャナ６４では、上側の開口６４Ａから上記原稿が搬入されて下側の開口６４Ｂから上記原稿が排出される。一方、プリンタ６６は、本表示装置５０で表示された情報を印字出力するための装置である。
【００３５】
これらスキャナ６４及びプリンタ６６の両者は、基台６８、左右一対の脚７０及び大型ＬＣＤ６０で区画される空間内に所定の間隔を開けて備えられている。具体的には、スキャナ６４は、大型ＬＣＤ６０の下面に接触した状態で左右一対の脚７０に橋渡して取り付けられている一方、プリンタ６６は、左右一対の脚７０と間隔を隔てて基台６８の上面に載置されている。
【００３６】
感圧マット５６は、その上面が押圧されると図示しない接点が接続（ＯＮ）するシートスイッチであり、図２に示すように、大型ＬＣＤ６０の前面側を含む装置本体５２が設置される床面Ｆ上に敷設されている。このシートスイッチとしての感圧マット５６では、導体マット材７６が緩衝材７４を挟んで上下に設けられており、上下の導体マット材７６が接触することにより通電して当該感圧マット５６上で大型ＬＣＤ６０の前に位置するプレゼンタＰの存在を検出する。
【００３７】
なお、タッチペン５４の詳細な構成については後述する。
【００３８】
＜透明タッチパネル６２の構成＞
図３は透明タッチパネル６２の構成を簡略化して示す正面図である。この図においては、透明タッチパネル６２の長辺に沿う方向（横方向）をＸ軸方向とし、短辺に沿う方向（縦方向）をＹ軸方向としている。
【００３９】
図３を参照して、本実施の形態においては、透明タッチパネル６２としては、光学的に位置検出を行なうタッチパネルが適用されている。それゆえ、このタッチパネル６２では、その操作面としての上記の透過部材の４辺にそれぞれ関連付けてタッチペン５４のタッチ位置ＴＰを検出するためのフォトトランジスタアレイ７８Ｘ，７８Ｙ及びＬＥＤアレイ８０Ｘ，８０Ｙが設けられている。具体的には、タッチパネル６２の操作面の上側の長辺（即ち、上辺）の内縁部には、Ｘ軸方向フォトトランジスタアレイ７８Ｘが当該上辺に沿って配置されている一方、下側の長辺（即ち、下辺）の内縁部には、Ｘ軸方向ＬＥＤアレイ８０Ｘが当該下辺に沿って配置されている。これにより、互いに対向する、Ｘ軸方向フォトトランジスタアレイ７８Ｘの各フォトトランジスタとＸ軸方向ＬＥＤアレイ８０Ｘの各ＬＥＤとの間でＸ軸方向に沿った光軸が形成されることになる。また、タッチパネル６２の操作面の右側の短辺（即ち、右辺）の内縁部には、Ｙ軸方向フォトトランジスタアレイ７８Ｙが当該右辺に沿って配置されている一方、左側の短辺（即ち、左辺）の内縁部には、Ｙ軸方向ＬＥＤアレイ８０Ｙが配置されている。これにより、互いに対向する、Ｙ軸方向フォトトランジスタアレイ７８Ｙの各フォトトランジスタとＹ軸方向ＬＥＤアレイ８０Ｙの各ＬＥＤとの間でＹ軸方向に沿った光軸が形成されることになる。Ｘ軸方向に関するフォトトランジスタアレイ７８Ｘ及びＬＥＤアレイ８０Ｘでは、その基板上にｍ個のフォトトランジスタ及びＬＥＤがそれぞれ搭載されている。他方、Ｙ軸方向に関するフォトトランジスタアレイ７８Ｙ及びＬＥＤアレイ８０Ｙでは、その基板上にｎ個のフォトトランジスタ及びＬＥＤがそれぞれ搭載されているので、上記操作面上では、ｍ×ｎ個の光軸交差点が生じる。
【００４０】
このような構成の透明タッチパネル６２において、プレゼンタＰがタッチペン５４により透過部材（操作面）上に触れると、この触れた位置ＴＰを通過する、Ｘ軸方向及びＹ軸方向の各ＬＥＤアレイ８０Ｘ，８０ＹのＬＥＤの光が当該タッチペン５４により遮蔽され、これらＬＥＤに対向する、Ｘ軸方向及びＹ軸方向の各フォトトランジスタアレイ７８Ｘ，７８Ｙのフォトトランジスタに到達しなくなる。これら到達しなかったフォトトランジスタの座標の組合せが指定された座標位置として図４に示すＰＣ８２に出力される。図３に示した例では、座標位置（Ｘｉ，Ｙｊ）が上記のタッチペン５４が触れた位置（ペンタッチ位置）ＴＰに相当する。
【００４１】
＜ハードウェア構成＞
図４は表示装置５０のハードウェア構成を示すブロック図である。図４を参照して、装置本体５２は、大型ＬＣＤ６０、タッチパネル６２及び無線通信デバイス７２に加えて、ＰＣ８２をさらに含む。
【００４２】
ＰＣ８２は、本表示装置５０全体の制御中枢を司るものであって、タイマ８４に加えて、図示しないＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）を含む。このＰＣ８２には、大型ＬＣＤ６０、スキャナ６４及びプリンタ６６が接続されていると共に、透明タッチパネル６２からのタッチペン５４による座標入力信号、及び感圧マット５６からのプレゼンタ検出信号が入力される。また、ＰＣ８２は、無線通信デバイス７２と相互にインタフェースをとっている。
【００４３】
タイマ８４は、タッチペン５４による透明タッチパネル６２の操作面への座標入力が無い状態を計測するための計時手段であって、一定時間ごとにカウントアップする。
【００４４】
他方、タッチペン５４は、その筐体内に制御デバイス８６、入力デバイス８８Ａ，８８Ｂ、警告振動出力デバイス９０及び無線通信デバイス９２が備えられている。
【００４５】
制御デバイス８６は、タッチペン５４の制御中枢を司るものであって、図示しないＣＰＵ、ＲＯＭ及びＲＡＭを含む。この制御デバイス８６には、警告振動出力デバイス９０が接続されていると共に、入力デバイス８８Ａ，８８Ｂからの各入力信号が与えられる。また、制御デバイス８６は、無線通信デバイス９２と相互にインタフェースをとっている。
【００４６】
第１の入力デバイス８８Ａは、警告振動出力デバイス９０の動作／非動作の切替入力を行なうためのスイッチであって、そのスイッチ切替方式としてはノック式及びスライド式等が適用可能である。
【００４７】
第２の入力デバイス８８Ｂは、タッチペン５４による透明タッチパネル６２の操作面への無入力状態を計測するタイマ８４のカウント設定時間の変更入力を行なうためのスイッチであって、そのスイッチ変更入力方式としてはスライド式及びダイヤル式等が適用可能である。
【００４８】
警告振動出力デバイス９０は、プレゼンタに警告を与えるための警告手段であって、図示しない、ソレノイド、ソレノイドの磁界により振動する磁性体、及びソレノイドに交流信号を与える交流信号源を含み、交流信号により磁性体を振動させて当該振動をタッチペン５４の筐体に伝達するように構成されている。
【００４９】
無線通信デバイス９２としては、装置本体５２側（大型ＬＣＤ６０上）の無線通信デバイス７２と同様に、Ｂｌｕｅｔｏｏｔｈ（登録商標）モジュールが採用されている。
【００５０】
装置本体５２側の無線通信デバイス７２とタッチペン５４側の無線通信デバイス９２とは、Ｂｌｕｅｔｏｏｔｈ（登録商標）モジュールが適用されているので、２．４ＧＨｚ帯の電波を使用して、相互にデータ通信を行なうことが可能である。具体的には、入力デバイス８８Ａ，８８Ｂの各入力内容は、タッチペン５４側の無線通信デバイス９２から装置本体５２側の無線通信デバイス７２に送信される。一方、タイマ８４のカウント値ｔが第２の入力デバイス８８Ｂにより設定入力された所定時間Ｔ０を超えても感圧マット５６によりプレゼンタＰの存在が検出されると、その旨が装置本体５２側の無線通信デバイス７２からタッチペン５４側の無線通信デバイス９２に送信される。
【００５１】
＜ソフトウェア構成＞
本実施の形態においては、タッチペン５４による透明タッチパネル６２の操作面への座標入力が無い状態が所定時間以上継続し且つ感圧マット５６によりプレゼンタＰの存在を検出した場合に、タッチペン５４内の警告振動出力デバイス９０を動作させて当該プレゼンタＰに対して無音状態で警告を発するようにプログラミングされている。このプログラムは、本表示装置５０のソフトウェア資源として構成されており、次に説明する各種の機能を実現する。これらの機能は、上記の装置本体５２側のＰＣ８２及び実質的にコンピュータからなるタッチペン５４側の制御デバイス８６が上記プログラムを実行することによって実現される。
【００５２】
図５は表示装置５０のプログラム構成をフローチャート形式で示す図である。なお、この図においては、第１の入力デバイス８８Ａにより警告振動出力デバイス９０が動作するように入力され且つ第２の入力デバイス８８Ｂによりタイマ８４のカウント値ｔが所定時間Ｔ０に設定入力されているものとして説明する。
【００５３】
図５を参照して、本表示装置５０では、まず、装置本体５２側のＰＣ８２がその内部タイマ８４をリセットする（ステップＳ１００）。その後、タイマ８４が作動される。このタイマ８４は、一定時間ごとにカウントアップする。
【００５４】
そして、装置本体５２側のＰＣ８２は、タッチペン５４による透明タッチパネル６２の操作面への座標入力があるか否かを判定する（ステップＳ１０２）。タッチペン５４による座標入力を検出した場合には、ＰＣ８２は、制御をステップＳ１００に戻してタイマ８４をリセットする。このとき、ＰＣ８２は、大型ＬＣＤ６０の表示領域において、タッチペン５４により入力された座標に対応する位置に所定のオブジェクトを表示させる。ここに、「オブジェクト」とは、例えば、点画像である。プレゼンタＰがタッチペン５４でタッチパネル６２の透過部材の表面（操作面）をなぞることにより、点画像のオブジェクトを連続的に表示させ、プレゼンタＰの所望する図形や文字を描くことができる。なお、その他のオブジェクトとしては、直線、円形、三角形及び四角形といった、予め定められた定形図形を挙げることができる。タッチペン５４による座標入力を検出しない場合には、ＰＣ８２は、制御をステップＳ１０４に進める。
【００５５】
制御がステップＳ１０４に進むと、装置本体５２側のＰＣ８２は、タイマ８４のカウント値ｔが上記設定入力された所定時間Ｔ０を超えたか否かを判定する。タイマ８４のカウント値ｔが所定時間Ｔ０を超えていない場合には、ＰＣ８２は、感圧マット５６からの出力信号に基づき当該感圧マット５６上に人（プレゼンタＰ）が立っているか否かを判定する（ステップＳ１１４）。感圧マット５６上でのプレゼンタＰの存在を検出すると、ＰＣ８２は、タイマ８４をリセットせずにカウントを続行し、上記ステップＳ１０２におけるタッチペン５４による座標入力検出判定処理に備える。これに対し、感圧マット５６上でのプレゼンタＰの存在を検出しないと、ＰＣ８２は、制御をステップＳ１００に戻してタイマ８４をリセットする。他方、タイマ８４のカウント値ｔが所定時間Ｔ０を超えている場合には、ＰＣ８２は、制御をステップＳ１０６に進める。
【００５６】
制御がステップＳ１０６に進むと、装置本体５２側のＰＣ８２は、感圧マット５６からの出力信号に基づき未だ当該感圧マット５６上に人（プレゼンタＰ）が立っているか否かを判定する。感圧マット５６上でのプレゼンタＰの存在が検出されない場合には、ＰＣ８２は、制御をステップＳ１００に戻してタイマ８４をリセットする。他方、感圧マット５６上でのプレゼンタＰの存在が検出された場合には、ＰＣ８２は、制御をステップＳ１０８に進める。
【００５７】
制御がステップＳ１０８に進むと、装置本体５２側のＰＣ８２は、同装置本体５２側（大型ＬＣＤ６０上）の無線通信デバイス７２を介して、プレゼンタＰが大型ＬＣＤ６０上に表示されたプレゼンテーション画面を遮っている旨を示すデータをタッチペン５４側の無線通信デバイス９２に送信する。このデータを無線通信デバイス９２が受信すると、タッチペン５４側の制御デバイス８６は、警告振動出力デバイス９０にＯＮ信号を出力して振動を発生させ、それによってプレゼンタＰに視聴者（参加者）のプレゼンテーション画面の視認を邪魔している旨の警告を与える。この警告振動出力のＯＮ状態は、プレゼンタＰが感圧マット５６上から立ち去るまで継続される。
【００５８】
続くステップＳ１１０において感圧マット５６上での人（プレゼンタＰ）の存在が検出されなくなると、装置本体５２側のＰＣ８２は、大型ＬＣＤ６０上の無線通信デバイス７２を介して、その旨を示すデータをタッチペン５４側の無線通信デバイス９２に送信する。このデータを無線通信デバイス９２が受信すると、タッチペン５４側の制御デバイス８６は、警告振動出力デバイス９０にＯＦＦ信号を出力してプレゼンタＰへの警告振動の出力を停止する（ステップＳ１１２）。その後、ＰＣ８２は、制御をステップＳ１００に戻してタイマ８４をリセットする。
【００５９】
＜動作＞
本表示装置５０では、タッチペン５４による透明タッチパネル６２の操作面への座標入力が無い状態が所定時間以上継続し、もしそのときに感圧マット５６によりプレゼンタＰの存在が検出されれば、タッチペン５４内の警告振動出力デバイス９０を動作させて当該プレゼンタＰに対して振動を与えて大型ＬＣＤ６０上に表示されたプレゼンテーション画面を遮っている旨が警告される。
【００６０】
＜作用・効果＞
本実施の形態によると、以下の作用・効果を奏する。
【００６１】
（１）タッチペン５４による透明タッチパネル６２の操作面への座標入力が無い状態が所定時間以上継続し、そのときに大型ＬＣＤ６０の表示領域前方におけるプレゼンタＰの存在が感圧マット５６により検出された場合には、プレゼンタＰに対して警告振動が発せられるので、プレゼンテーションの進行を妨げることなく、プレゼンタに表示画面を遮っていることを通知して表示画面を参加者が見難くなるのを防止できる。
【００６２】
（２）上記警告振動を出力する警告振動出力デバイス９０が、透明タッチパネル６２の操作面に対して操作を行なうためのタッチペン５４に備えられているので、プレゼンタＰがタッチペン５４を握りながらプレゼンテーションを行なう際に、当該警告振動をプレゼンタＰ自身の掌で受けることになる。その結果、プレゼンタＰに自身がプレゼンテーション表示画面を遮っていることを即座に認識させることができる。
【００６３】
（３）警告振動出力デバイス９０の動作／非動作の切替入力を行なうための第１の入力デバイス８８Ａがタッチペン５４に備えられ、この第１の入力デバイス８８Ａの入力操作に応じて警告振動出力デバイス９０の動作／非動作を切替える処理が実行されるので、警告振動出力デバイス９０の動作及び非動作をプレゼンタＰの手元側で自由に切替えることができる。
【００６４】
（４）上記の透明タッチパネル６２の操作面への無入力状態に関する所定時間Ｔ０の変更入力を行なうための第２の入力デバイス８８Ｂがタッチペン５４に備えられ、この第２の入力デバイス８８Ｂの入力操作に応じて上記所定時間Ｔ０の設定を変更する処理が実行されるので、上記の警告振動が発せられるまでの時間をプレゼンタＰの手元側で自由に変更することができる。
【００６５】
[第２の実施の形態]
図６は本発明の第２の実施の形態に係る表示装置５０のハードウェア構成を示すブロック図である。図６を参照して、本実施の形態に係る表示装置５０の特徴は、警告手段として警告振動出力デバイス９０に代えて警告表示デバイス９４を採用し、この警告表示デバイス９４がタッチペン５４内に備えられている点にあり、その他の構成は第１の実施の形態と同様である。
【００６６】
警告表示デバイス９４は、小型ＬＣＤ又はＬＥＤを含み、プレゼンタＰに対して所定の態様で警告表示を行なうように構成されている。ここに、警告表示の態様としては、小型ＬＣＤの発光又は点滅、及びＬＥＤの発光又は点滅等を例示することができる。この警告表示デバイス９４は、制御デバイス８６に接続されている。
【００６７】
＜ソフトウェア構成＞
本実施の形態においては、タッチペン５４による透明タッチパネル６２の操作面への座標入力が無い状態が所定時間以上継続し且つ感圧マット５６によりプレゼンタＰの存在を検出した場合に、タッチペン５４内の警告表示デバイス９４を動作させて当該プレゼンタＰに対して無音状態で警告を発するようにプログラミングされている。このプログラムは、本表示装置５０のソフトウェア資源として構成されており、次に説明する各種の機能を実現する。これらの機能は、上記の装置本体５２側のＰＣ８２及び実質的にコンピュータからなるタッチペン５４側の制御デバイス８６が上記プログラムを実行することによって実現される。
【００６８】
図７は表示装置５０のプログラム構成をフローチャート形式で示す図である。なお、この図においては、第１の入力デバイス８８Ａにより警告表示デバイス９４が動作するように入力され且つ第２の入力デバイス８８Ｂによりタイマ８４のカウント値ｔが所定時間Ｔ０に設定入力されているものとして説明する。
【００６９】
図７を参照して、本表示装置５０では、まず、装置本体５２側のＰＣ８２がタイマ８４をリセットする（ステップＳ２００）。その後、タイマ８４が一定時間ごとにカウントアップされる。
【００７０】
そして、装置本体５２側のＰＣ８２は、タッチペン５４による透明タッチパネル６２の操作面への座標入力があるか否かを判定する（ステップＳ２０２）。タッチペン５４による座標入力を検出した場合には、ＰＣ８２は、制御をステップＳ２００に戻してタイマ８４をリセットする。タッチペン５４による座標入力を検出しない場合には、ＰＣ８２は、制御をステップＳ２０４に進める。
【００７１】
制御がステップＳ２０４に進むと、装置本体５２側のＰＣ８２は、タイマ８４のカウント値ｔが上記設定入力された所定時間Ｔ０を超えたか否かを判定する。タイマ８４のカウント値ｔが所定時間Ｔ０を超えていない場合には、ＰＣ８２は、感圧マット５６からの出力信号に基づき当該感圧マット５６上にプレゼンタＰが立っているか否かを判定する（ステップＳ２１４）。感圧マット５６上でのプレゼンタＰの存在を検出すると、ＰＣ８２は、タイマ８４をリセットせずにカウントを続行し、上記ステップＳ２０２におけるタッチペン５４による座標入力検出判定処理に備える。これに対し、感圧マット５６上でのプレゼンタＰの存在を検出しないと、ＰＣ８２は、制御をステップＳ２００に戻してタイマ８４をリセットする。他方、タイマ８４のカウント値ｔが所定時間Ｔ０を超えている場合には、ＰＣ８２は、制御をステップＳ２０６に進める。
【００７２】
制御がステップＳ２０６に進むと、装置本体５２側のＰＣ８２は、感圧マット５６からの出力信号に基づき未だ当該感圧マット５６上にプレゼンタＰが立っているか否かを判定する。感圧マット５６上でのプレゼンタＰの存在が検出されない場合には、ＰＣ８２は、制御をステップＳ２００に戻してタイマ８４をリセットする。他方、感圧マット５６上でのプレゼンタＰの存在が検出された場合には、ＰＣ８２は、制御をステップＳ２０８に進める。
【００７３】
制御がステップＳ２０８に進むと、装置本体５２側のＰＣ８２は、大型ＬＣＤ６０上の無線通信デバイス７２を介して、プレゼンタＰが大型ＬＣＤ６０上に表示されたプレゼンテーション画面を遮っている旨を示すデータをタッチペン５４側の無線通信デバイス９２に送信する。このデータを無線通信デバイス９２が受信すると、タッチペン５４側の制御デバイス８６は、警告表示デバイス９４にＯＮ信号を出力して発光又は点滅表示等を行ない、それによってプレゼンタＰに参加者のプレゼンテーション画面の視認を邪魔している旨の警告を与える。この警告表示のＯＮ状態は、プレゼンタＰが感圧マット５６上から立ち去るまで継続される。
【００７４】
続くステップＳ２１０において感圧マット５６上でのプレゼンタＰの存在が検出されなくなると、装置本体５２側のＰＣ８２は、大型ＬＣＤ６０上の無線通信デバイス７２を介して、その旨を示すデータをタッチペン５４側の無線通信デバイス９２に送信する。このデータを無線通信デバイス９２が受信すると、タッチペン５４側の制御デバイス８６は、警告表示デバイス９４にＯＦＦ信号を出力してプレゼンタＰへの警告表示を停止する（ステップＳ２１２）。その後、ＰＣ８２は、制御をステップＳ２００に戻してタイマ８４をリセットする。
【００７５】
＜動作＞
本表示装置５０では、タッチペン５４による透明タッチパネル６２の操作面への座標入力が無い状態が所定時間以上継続し、もしそのときに感圧マット５６によりプレゼンタＰの存在が検出されれば、タッチペン５４内の警告表示デバイス９４を動作させて当該プレゼンタＰに対して表示による警告を与えて大型ＬＣＤ６０上に表示されたプレゼンテーション画面を遮っている旨が通知される。
【００７６】
＜作用・効果＞
本実施の形態によると、第１の実施の形態の（４）と同様の作用・効果を奏することに加えて、以下の作用・効果を奏する。
【００７７】
（１）タッチペン５４による透明タッチパネル６２の操作面への座標入力が無い状態が所定時間以上継続し、そのときに大型ＬＣＤ６０の表示領域前方におけるプレゼンタＰの存在が感圧マット５６により検出された場合には、プレゼンタＰに対して発光又は点滅等による警告表示がなされるので、プレゼンテーションの進行を妨げることなく、プレゼンタに表示画面を遮っていることを通知して表示画面を参加者が見難くなるのを防止できる。
【００７８】
（２）上記警告表示を行なう警告表示デバイス９４が、透明タッチパネル６２の操作面に対して操作を行なうためのタッチペン５４に備えられているので、プレゼンタＰがタッチペン５４を握りながらプレゼンテーションを行なう際に、当該警告表示をプレゼンタＰ自身の手元で視認することになる。その結果、プレゼンタＰに自身がプレゼンテーション表示画面を遮っていることを即座に認識させることができる。
【００７９】
（３）警告表示デバイス９４の動作／非動作の切替入力を行なうための第１の入力デバイス８８Ａがタッチペン５４に備えられ、この第１の入力デバイス８８Ａの入力操作に応じて警告表示デバイス９４の動作／非動作を切替える処理が実行されるので、警告表示デバイス９４の動作及び非動作をプレゼンタＰの手元側で自由に切替えることができる。
【００８０】
[第３の実施の形態]
図８は本発明の第３の実施の形態に係る表示装置５０の外観構成を示す斜視図である。また、図９は表示装置５０の外観構成を示す正面図であって、プレゼンテーションを行なっている状態を示す。
【００８１】
図８及び図９を参照して、本実施の形態に係る表示装置５０の特徴は、大型ＬＣＤ６０の表示領域を前にして立っているプレゼンタＰの存在を検出するための検出手段として、感圧マット５６に代えて複数（本実施の形態においては５つ）の焦電センサ９６を採用している点、及びこれら焦電センサ９６が備えられた装置本体５２がプレゼンテーションエリアの床面Ｆに直接設置される点にあり、その他の構成は第１の実施の形態と同様である。
【００８２】
各焦電センサ９６は、人体から放射される赤外線を検知する赤外線センサであって、大型ＬＣＤ６０とスキャナ６４との間において、左右一対の脚７０の前面に取り付けられたプレート９８に等間隔を開けて装着されている。プレート９８は、大型ＬＣＤ６０の下辺に沿って平行に延びる長手の薄板部材であって、その長さは大型ＬＣＤ６０の横方向の長さとほぼ同寸に設定されている。
【００８３】
＜ハードウェア構成＞
図１０は表示装置５０のハードウェア構成を示すブロック図である。図１０を参照して、焦電センサ９６の検出出力は、ＰＣ８２に与えられる。
【００８４】
＜ソフトウェア構成＞
本実施の形態においては、タッチペン５４による透明タッチパネル６２の操作面への座標入力が無い状態が所定時間以上継続し且つ焦電センサ９６によりプレゼンタＰの存在を検出した場合に、タッチペン５４内の警告振動出力デバイス９０を動作させて当該プレゼンタＰに対して無音状態で警告を発するようにプログラミングされている。このプログラムは、本表示装置５０のソフトウェア資源として構成されており、次に説明する各種の機能を実現する。これらの機能は、上記の装置本体５２側のＰＣ８２及び実質的にコンピュータからなるタッチペン５４側の制御デバイス８６が上記プログラムを実行することによって実現される。
【００８５】
図１１は表示装置５０のプログラム構成をフローチャート形式で示す図である。なお、この図においては、第１の入力デバイス８８Ａにより警告振動出力デバイス９０が動作するように入力され且つ第２の入力デバイス８８Ｂによりタイマ８４のカウント値ｔが所定時間Ｔ０に設定入力されているものとして説明する。
【００８６】
図１１を参照して、本表示装置５０では、まず、装置本体５２側のＰＣ８２がタイマ８４を一旦リセットし、その後にタイマ８４のカウントアップを開始させる（ステップＳ３００）。
【００８７】
そして、装置本体５２側のＰＣ８２は、タッチペン５４による透明タッチパネル６２の操作面への座標入力があるか否かを判定する（ステップＳ３０２）。タッチペン５４による座標入力を検出した場合には、ＰＣ８２は、制御をステップＳ３００に戻してタイマ８４をリセットする。タッチペン５４による座標入力を検出しない場合には、ＰＣ８２は、制御をステップＳ３０４に進める。
【００８８】
制御がステップＳ３０４に進むと、装置本体５２側のＰＣ８２は、タイマ８４のカウント値ｔが上記設定入力された所定時間Ｔ０を超えたか否かを判定する。タイマ８４のカウント値ｔが所定時間Ｔ０を超えていない場合には、ＰＣ８２は、焦電センサ９６からの出力信号に基づき大型ＬＣＤ６０の表示領域を前にしてプレゼンタＰが立っているか否かを判定する（ステップＳ３１４）。焦電センサ９６によりプレゼンタＰの存在を検出すると、ＰＣ８２は、タイマ８４をリセットせずにカウントを続行し、上記ステップＳ３０２におけるタッチペン５４による座標入力検出判定処理に備える。これに対し、焦電センサ９６によりプレゼンタＰの存在が検出されないと、ＰＣ８２は、制御をステップＳ３００に戻してタイマ８４をリセットする。他方、タイマ８４のカウント値ｔが所定時間Ｔ０を超えている場合には、ＰＣ８２は、制御をステップＳ３０６に進める。
【００８９】
制御がステップＳ３０６に進むと、装置本体５２側のＰＣ８２は、焦電センサ９６からの出力信号に基づき未だ大型ＬＣＤ６０の表示領域を前にしてプレゼンタＰが立っているか否かを判定する。焦電センサ９６によりプレゼンタＰの存在が検出されない場合には、ＰＣ８２は、制御をステップＳ３００に戻してタイマ８４をリセットする。他方、焦電センサ９６によりプレゼンタＰの存在が検出された場合には、ＰＣ８２は、制御をステップＳ３０８に進める。
【００９０】
制御がステップＳ３０８に進むと、装置本体５２側のＰＣ８２は、大型ＬＣＤ６０上の無線通信デバイス７２を介して、プレゼンタＰが大型ＬＣＤ６０上に表示されたプレゼンテーション画面を遮っている旨を示すデータをタッチペン５４側の無線通信デバイス９２に送信する。このデータを無線通信デバイス９２が受信すると、タッチペン５４側の制御デバイス８６は、警告振動出力デバイス９０にＯＮ信号を出力して振動を発生させ、それによってプレゼンタＰに参加者のプレゼンテーション画面の視認を邪魔している旨の警告を与える。この警告振動出力のＯＮ状態は、プレゼンタＰが大型ＬＣＤ６０の表示領域の前方から立ち去るまで継続される。
【００９１】
続くステップＳ３１０において焦電センサ９６によって大型ＬＣＤ６０の前でのプレゼンタＰの存在が検出されなくなると、装置本体５２側のＰＣ８２は、大型ＬＣＤ６０上の無線通信デバイス７２を介して、その旨を示すデータをタッチペン５４側の無線通信デバイス９２に送信する。このデータを無線通信デバイス９２が受信すると、タッチペン５４側の制御デバイス８６は、警告振動出力デバイス９０にＯＦＦ信号を出力してプレゼンタＰへの警告振動の出力を停止する（ステップＳ３１２）。その後、ＰＣ８２は、制御をステップＳ３００に戻してタイマ８４をリセットする。
【００９２】
＜動作＞
本表示装置５０では、タッチペン５４による透明タッチパネル６２の操作面への座標入力が無い状態が所定時間以上継続し、もしそのときに焦電センサ９６によりプレゼンタＰの存在が検出されれば、タッチペン５４内の警告振動出力デバイス９０を動作させて当該プレゼンタＰに対して振動を与えて大型ＬＣＤ６０上に表示されたプレゼンテーション画面を遮っている旨が警告される。
【００９３】
＜作用・効果＞
本実施の形態によると、第１の実施の形態の（２）〜（４）と同様の作用・効果を奏することに加えて、以下の作用・効果を奏する。
【００９４】
タッチペン５４による透明タッチパネル６２の操作面への座標入力が無い状態が所定時間以上継続し、そのときに大型ＬＣＤ６０の表示領域前方におけるプレゼンタＰの存在が焦電センサ９６により検出された場合には、プレゼンタＰに対して警告振動が発せられるので、プレゼンテーションの進行を妨げることなく、プレゼンタに表示画面を遮っていることを通知して表示画面を参加者が見難くなるのを防止できる。
【００９５】
[第４の実施の形態]
図１２は本発明の第４の実施の形態に係る表示装置５０のハードウェア構成を示すブロック図である。図１２を参照して、本実施の形態に係る表示装置５０の特徴は、警告振動出力デバイス９０に代えて、小型ＬＣＤ又はＬＥＤを含み、これを発光又は点滅等させてプレゼンタＰに対して警告表示を行なうように構成された警告表示デバイス９４を採用し、この警告表示デバイス９４がタッチペン５４内に備えられている点にあり、その他の構成は第３の実施の形態と同様である。なお、警告表示デバイス９４は、制御デバイス８６に接続されている。
【００９６】
＜ソフトウェア構成＞
本実施の形態においては、タッチペン５４による透明タッチパネル６２の操作面への座標入力が無い状態が所定時間以上継続し且つ焦電センサ９６によりプレゼンタＰの存在を検出した場合に、タッチペン５４内の警告表示デバイス９４を動作させて当該プレゼンタＰに対して無音状態で警告を発するようにプログラミングされている。このプログラムは、本表示装置５０のソフトウェア資源として構成されており、次に説明する各種の機能を実現する。これらの機能は、上記の装置本体５２側のＰＣ８２及び実質的にコンピュータからなるタッチペン５４側の制御デバイス８６が上記プログラムを実行することによって実現される。
【００９７】
図１３は表示装置５０のプログラム構成をフローチャート形式で示す図である。なお、この図においては、第１の入力デバイス８８Ａにより警告表示デバイス９４が動作するように入力され且つ第２の入力デバイス８８Ｂによりタイマ８４のカウント値ｔが所定時間Ｔ０に設定入力されているものとして説明する。
【００９８】
図１３を参照して、本表示装置５０では、まず、装置本体５２側のＰＣ８２がタイマ８４をリセットし、その後にタイマ８４のカウントアップを開始させる（ステップＳ４００）。
【００９９】
そして、装置本体５２側のＰＣ８２は、タッチペン５４による透明タッチパネル６２の操作面への座標入力があるか否かを判定する（ステップＳ４０２）。タッチペン５４による座標入力を検出した場合には、ＰＣ８２は、制御をステップＳ４００に戻してタイマ８４をリセットする。タッチペン５４による座標入力を検出しない場合には、ＰＣ８２は、制御をステップＳ４０４に進める。
【０１００】
制御がステップＳ４０４に進むと、装置本体５２側のＰＣ８２は、タイマ８４のカウント値ｔが上記設定入力された所定時間Ｔ０を超えたか否かを判定する。タイマ８４のカウント値ｔが所定時間Ｔ０を超えていない場合には、ＰＣ８２は、焦電センサ９６からの出力信号に基づき大型ＬＣＤ６０の表示領域を前にしてプレゼンタＰが立っているか否かを判定する（ステップＳ４１４）。焦電センサ９６によりプレゼンタＰの存在を検出すると、ＰＣ８２は、タイマ８４をリセットせずにカウントを続行し、上記ステップＳ４０２におけるタッチペン５４による座標入力検出判定処理に備える。これに対し、焦電センサ９６によりプレゼンタＰの存在が検出されないと、ＰＣ８２は、制御をステップＳ４００に戻してタイマ８４をリセットする。他方、タイマ８４のカウント値ｔが所定時間Ｔ０を超えている場合には、ＰＣ８２は、制御をステップＳ４０６に進める。
【０１０１】
制御がステップＳ４０６に進むと、装置本体５２側のＰＣ８２は、焦電センサ９６からの出力信号に基づき未だ大型ＬＣＤ６０の表示領域を前にしてプレゼンタＰが立っているか否かを判定する。焦電センサ９６によりプレゼンタＰの存在が検出されない場合には、ＰＣ８２は、制御をステップＳ４００に戻してタイマ８４をリセットする。他方、焦電センサ９６によりプレゼンタＰの存在が検出された場合には、ＰＣ８２は、制御をステップＳ４０８に進める。
【０１０２】
制御がステップＳ４０８に進むと、装置本体５２側のＰＣ８２は、大型ＬＣＤ６０上の無線通信デバイス７２を介して、プレゼンタＰが大型ＬＣＤ６０上に表示されたプレゼンテーション画面を遮っている旨を示すデータをタッチペン５４側の無線通信デバイス９２に送信する。このデータを無線通信デバイス９２が受信すると、タッチペン５４側の制御デバイス８６は、警告表示デバイス９４にＯＮ信号を出力して発光又は点滅表示等を行ない、それによってプレゼンタＰに参加者のプレゼンテーション画面の視認を邪魔している旨の警告を与える。この警告表示のＯＮ状態は、プレゼンタＰが大型ＬＣＤ６０の前から立ち去るまで継続される。
【０１０３】
続くステップＳ４１０において焦電センサ９６により大型ＬＣＤ６０を前にしたプレゼンタＰの存在が検出されなくなると、装置本体５２側のＰＣ８２は、大型ＬＣＤ６０上の無線通信デバイス７２を介して、その旨を示すデータをタッチペン５４側の無線通信デバイス９２に送信する。このデータを無線通信デバイス９２が受信すると、タッチペン５４側の制御デバイス８６は、警告表示デバイス９４にＯＦＦ信号を出力してプレゼンタＰへの警告表示を停止する（ステップＳ４１２）。その後、ＰＣ８２は、制御をステップＳ４００に戻してタイマ８４をリセットする。
【０１０４】
＜動作＞
本表示装置５０では、タッチペン５４による透明タッチパネル６２の操作面への座標入力が無い状態が所定時間以上継続し、もしそのときに焦電センサ９６によりプレゼンタＰの存在が検出されれば、タッチペン５４内の警告表示デバイス９４を動作させて当該プレゼンタＰに対して表示による警告を与えて大型ＬＣＤ６０上に表示されたプレゼンテーション画面を遮っている旨が通知される。
【０１０５】
＜作用・効果＞
本実施の形態によると、第１の実施の形態の（４）、並びに第２の実施の形態の（２）及び（３）と同様の作用・効果を奏することに加えて、以下の作用・効果を奏する。
【０１０６】
タッチペン５４による透明タッチパネル６２の操作面への座標入力が無い状態が所定時間以上継続し、そのときに大型ＬＣＤ６０の表示領域前方におけるプレゼンタＰの存在が焦電センサ９６により検出された場合には、プレゼンタＰに対して発光又は点滅等による警告表示がなされるので、プレゼンテーションの進行を妨げることなく、プレゼンタに表示画面を遮っていることを通知して表示画面を参加者が見難くなるのを防止できる。
【０１０７】
[第５の実施の形態]
図１４は本発明の第５の実施の形態に係る表示装置５０の外観構成を簡略化して示す正面図、図１５は表示装置５０においてプレゼンテーションを行なっている状態を示す正面図である。図１４及び図１５を参照して、本実施の形態に係る表示装置５０の特徴は、警告手段をタッチペン５４に備えずに警告手段としての警告振動出力デバイス１００を感圧マット５６に内蔵している点にあり、その他の構成は第１の実施の形態と同様である。
【０１０８】
警告振動出力デバイス１００は、緩衝材７４を挟んだ左右領域において上下の導体マット材７６の間に配置されている。
【０１０９】
＜ハードウェア構成＞
図１６は表示装置５０のハードウェア構成を示すブロック図である。図１６を参照して、感圧マット５６内の警告振動出力デバイス１００は、図示しない、ソレノイド、ソレノイドの磁界により振動する磁性体、及びソレノイドに交流信号を与える交流信号源を含み、交流信号により磁性体を振動させて当該振動を感圧マット５６に伝達するように構成されている。この警告振動出力デバイス１００には、大型ＬＣＤ６０上の無線通信デバイス７２から送信された電波を受信するための受信部１００Ａが備えられている。警告振動出力デバイス１００の動作／非動作は、第１の入力デバイス８８Ａの入力操作により切替可能となっている。
【０１１０】
＜ソフトウェア構成＞
本実施の形態においては、タッチペン５４による透明タッチパネル６２の操作面への座標入力が無い状態が所定時間以上継続し且つ感圧マット５６によりプレゼンタＰの存在を検出した場合に、感圧マット５６内の警告振動出力デバイス１００を動作させて当該プレゼンタＰに対して無音状態で警告を発するようにプログラミングされている。このプログラムは、本表示装置５０のソフトウェア資源として構成されており、次に説明する各種の機能を実現する。これらの機能は、上記の装置本体５２側のＰＣ８２及び実質的にコンピュータからなるタッチペン５４側の制御デバイス８６が上記プログラムを実行することによって実現される。
【０１１１】
図１７は表示装置５０のプログラム構成をフローチャート形式で示す図である。なお、この図においては、第１の入力デバイス８８Ａにより警告振動出力デバイス１００が動作するように入力され且つ第２の入力デバイス８８Ｂによりタイマ８４のカウント値ｔが所定時間Ｔ０に設定入力されているものとして説明する。
【０１１２】
図１７を参照して、本表示装置５０では、まず、装置本体５２側のＰＣ８２がその内部タイマ８４をリセットする（ステップＳ５００）。その後、タイマ８４が作動される。このタイマ８４は、一定時間ごとにカウントアップする。
【０１１３】
そして、装置本体５２側のＰＣ８２は、タッチペン５４による透明タッチパネル６２の操作面への座標入力があるか否かを判定する（ステップＳ５０２）。タッチペン５４による座標入力を検出した場合には、ＰＣ８２は、制御をステップＳ５００に戻してタイマ８４をリセットする。タッチペン５４による座標入力を検出しない場合には、ＰＣ８２は、制御をステップＳ５０４に進める。
【０１１４】
制御がステップＳ５０４に進むと、装置本体５２側のＰＣ８２は、タイマ８４のカウント値ｔが上記設定入力された所定時間Ｔ０を超えたか否かを判定する。タイマ８４のカウント値ｔが所定時間Ｔ０を超えていない場合には、ＰＣ８２は、感圧マット５６からの出力信号に基づき当該感圧マット５６上にプレゼンタＰが立っているか否かを判定する（ステップＳ５１４）。感圧マット５６上でのプレゼンタＰの存在を検出すると、ＰＣ８２は、タイマ８４をリセットせずにカウントを続行し、上記ステップＳ５０２におけるタッチペン５４による座標入力検出判定処理に備える。これに対し、感圧マット５６上でのプレゼンタＰの存在を検出しないと、ＰＣ８２は、制御をステップＳ５００に戻してタイマ８４をリセットする。他方、タイマ８４のカウント値ｔが所定時間Ｔ０を超えている場合には、ＰＣ８２は、制御をステップＳ５０６に進める。
【０１１５】
制御がステップＳ５０６に進むと、装置本体５２側のＰＣ８２は、感圧マット５６からの出力信号に基づき未だ当該感圧マット５６上にプレゼンタＰが立っているか否かを判定する。感圧マット５６上でのプレゼンタＰの存在が検出されない場合には、ＰＣ８２は、制御をステップＳ５００に戻してタイマ８４をリセットする。他方、感圧マット５６上でのプレゼンタＰの存在が検出された場合には、ＰＣ８２は、制御をステップＳ５０８に進める。
【０１１６】
制御がステップＳ５０８に進むと、装置本体５２側のＰＣ８２は、大型ＬＣＤ６０上の無線通信デバイス７２からプレゼンタＰが大型ＬＣＤ６０上に表示されたプレゼンテーション画面を遮っている旨を示すデータを警告振動出力デバイス１００の受信部１００Ａに送信する。このデータを受信部１００Ａが受信すると、警告振動出力デバイス１００がＯＮして感圧マット５６上に振動が発生し、それによってプレゼンタＰに参加者のプレゼンテーション画面の視認を邪魔している旨の警告を与える。この警告振動出力のＯＮ状態は、プレゼンタＰが感圧マット５６上から立ち去るまで継続される。
【０１１７】
続くステップＳ５１０において感圧マット５６上でのプレゼンタＰの存在が検出されなくなると、装置本体５２側のＰＣ８２は、大型ＬＣＤ６０上の無線通信デバイス７２からその旨を示すデータを感圧マット５６内の警告振動出力デバイス１００の受信部１００Ａに送信する。このデータを受信部１００Ａが受信すると、警告振動出力デバイス１００がＯＦＦして感圧マット５６上でのプレゼンタＰへの警告振動の出力を停止する（ステップＳ５１２）。その後、ＰＣ８２は、制御をステップＳ５００に戻してタイマ８４をリセットする。
【０１１８】
＜動作＞
本表示装置５０では、タッチペン５４による透明タッチパネル６２の操作面への座標入力が無い状態が所定時間以上継続し、もしそのときに感圧マット５６によりプレゼンタＰの存在が検出されれば、当該感圧マット５６内の警告振動出力デバイス１００を動作させて当該プレゼンタＰに対して振動を与えて大型ＬＣＤ６０上に表示されたプレゼンテーション画面を遮っている旨が警告される。
【０１１９】
＜作用・効果＞
本実施の形態によると、以下の作用・効果を奏する。
【０１２０】
（１）タッチペン５４による透明タッチパネル６２の操作面への座標入力が無い状態が所定時間以上継続し、そのときに大型ＬＣＤ６０の表示領域前方におけるプレゼンタＰの存在が検出された場合には、当該プレゼンタＰに対して自身の足元から出力される振動により警告が与えられるので、プレゼンテーションの進行を妨げることなく、プレゼンタに表示画面を遮っていることを通知して表示画面を参加者が見難くなるのを防止できる。
【０１２１】
（２）感圧マット５６内の警告振動出力デバイス１００の動作／非動作の切替入力を行なうための第１の入力デバイス８８Ａがタッチペン５４に備えられ、この第１の入力デバイス８８Ａの入力操作に応じて当該警告振動出力デバイス１００の動作／非動作を切替える処理が実行されるので、上記のプレゼンタの足元から警告振動を出力させるか否かをプレゼンタの手元側で自由に切替えることが可能となる。
【０１２２】
（３）上記の透明タッチパネル６２の操作面への無入力状態に関する所定時間Ｔ０の変更入力を行なうための第２の入力デバイス８８Ｂがタッチペン５４に備えられ、この第２の入力デバイス８８Ｂの入力操作に応じて上記所定時間Ｔ０の設定を変更する処理が実行されるので、上記のプレゼンタＰの足元から振動が出力されるまでの時間をプレゼンタＰの手元側で自由に変更することが可能となる。
【０１２３】
なお、本発明は上記実施の形態に限定されるものではない。例えば、上記実施の形態においては、透明タッチパネルの位置検出の仕方として光学式を用いたものを利用した例について記載した。しかし、本発明はこのような構成には限定されない。位置検出の仕方として電子式、静電式及び超音波式等を利用したタッチパネルを利用しても、本発明の目的は十分に達成し得る。また、上記実施の形態においては、無音警告に関係するデータ通信についてはＢｌｕｅｔｏｏｔｈ（登録商標）通信で行なう例について記載した。しかし、本発明はこのような構成に限定されない。例えば、赤外線通信等の他の無線データ通信により無音警告に関係するデータの送受を行なうようにしてもよい。その他、本明細書に添付の特許請求の範囲内での種々の設計変更及び修正を加え得ることは勿論である。
【０１２４】
すなわち、本明細書で開示した実施の形態は単に例示であって、本発明が上述した実施の形態のみに限定されるわけではない。本発明の範囲は、本明細書の記載内容を参酌した上で、別紙の特許請求の範囲における請求項によって示され、そこに記載された文言と均等の意味及び範囲内での全ての変更を含む。
【図面の簡単な説明】
【０１２５】
【図１】本発明の第１の実施の形態に係る表示装置の外観構成を示す斜視図である。
【図２】同表示装置の外観構成を示す正面図であって、プレゼンテーションを行なっている状態を示す。
【図３】同表示装置の透明タッチパネルの構成を簡略化して示す正面図である。
【図４】同表示装置のハードウェア構成を示すブロック図である。
【図５】同表示装置のプログラム構成をフローチャート形式で示す図である。
【図６】本発明の第２の実施の形態に係る表示装置のハードウェア構成を示すブロック図である。
【図７】同表示装置のプログラム構成をフローチャート形式で示す図である。
【図８】本発明の第３の実施の形態に係る表示装置の外観構成を示す斜視図である。
【図９】同表示装置の外観構成を示す正面図であって、プレゼンテーションを行なっている状態を示す。
【図１０】同表示装置のハードウェア構成を示すブロック図である。
【図１１】同表示装置のプログラム構成をフローチャート形式で示す図である。
【図１２】本発明の第４の実施の形態に係る表示装置のハードウェア構成を示すブロック図である。
【図１３】同表示装置のプログラム構成をフローチャート形式で示す図である。
【図１４】本発明の第５の実施の形態に係る表示装置の外観構成を簡略化して示す正面図である。
【図１５】同表示装置においてプレゼンテーションを行なっている状態を示す正面図である。
【図１６】同表示装置のハードウェア構成を示すブロック図である。
【図１７】同表示装置のプログラム構成をフローチャート形式で示す図である。
【符号の説明】
【０１２６】
５０  表示装置
５２  装置本体
５４  タッチペン
５６  感圧マット
６０  大型ＬＥＤ
６２  透明タッチパネル
７２，９２  無線通信デバイス
８２  ＰＣ
８４  タイマ
８６  制御デバイス
８８Ａ，８８Ｂ  入力デバイス
９０，１００  警告振動出力デバイス
９４  警告表示デバイス
９６  焦電センサ
１００Ａ  受信部
Ｐ  プレゼンタ
Ｆ  床面
【図１】
2009064267.tif 000003
【図２】
2009064267.tif 000004
【図３】
2009064267.tif 000005
【図４】
2009064267.tif 000006
【図５】
2009064267.tif 000007
【図６】
2009064267.tif 000008
【図７】
2009064267.tif 000009
【図８】
2009064267.tif 000010
【図９】
2009064267.tif 000011
【図１０】
2009064267.tif 000012
【図１１】
2009064267.tif 000013
【図１２】
2009064267.tif 000014
【図１３】
2009064267.tif 000015
【図１４】
2009064267.tif 000016
【図１５】
2009064267.tif 000017
【図１６】
2009064267.tif 000018
【図１７】
2009064267.tif 000019